(57)【要約】【課題】トラップ本体の流入出部の流入室に通じる導入部の形状を工夫することで、排水の流れを円滑して排出効率の良い排水トラップを提供する。【解決手段】トラップ本体３が排水管Ａ１の管端部に固定配置され、トラップ本体３は、流入出部３４が流入室３４ｂと流出室３４ｃとに二分され、流入出部３４の上端には接続管４を通じて導入される排水を流入室３４ｂに導く導入部３３が設けられ、接続管４に導入された排水が導入部３３を通じて流入室３４ｂに流入し、この流入室３４ｂの下端から流出室３４ｃに導かれて上方にＵターンする形で流出室３４ｃの上端に形成された排出口３４ｄから排水管Ａ１に排出されるように構成された排水トラップ１において、流出室３４ｃの上方となる導入部３３の部位３３ｂが半円錐状に形成され、この半円錐状の部位３３ｂの下端が仕切り壁３４ａに繋がっている。【選択図】  図１
2007023688.tif 000002
【特許請求の範囲】
【請求項１】
トラップ本体が床面に臨んで配設された排水管の管端部に当該トラップ本体を内部に挿入配置した状態で固定配置され、トラップ本体は、流入出部が仕切り壁によって流入室と流出室とに左右に二分されるとともに、流入出部の上端には接続管を通じて導入される排水を流入室に導く導入部が設けられてなり、接続管に導入された排水が導入部を通じて流入室に流入し、この流入室の下端から流出室に導かれて上方にＵターンする形で流出室の上端に形成された排出口から排水管に排出されるように構成された排水トラップにおいて、
前記流出室の上方となる前記導入部の部位が半円錐状に形成され、この半円錐状の部位の下端が前記仕切り壁に繋がっていることを特徴とする排水トラップ。
【請求項２】
前記流入出部は、前記流出室の排出口側が排水管の内壁との間隔が大きくなるように当該排水管に対して偏心した状態で配置されていることを特徴とする請求項１記載の排水トラップ。
【発明の詳細な説明】
【技術分野】
【０００１】
本発明は、例えば洗濯機の水を排水ホースを通じて排水する際に、床下に設けられた排水管と洗濯機の排水ホースとの接続部に配設される排水トラップに関するものである。
【背景技術】
【０００２】
従来、例えば洗濯機に設けられた排水ホースは、この洗濯機が配置される床面あるいは排水パンの下方に設けられた排水管に、その排水管に取り付けられた排水トラップを介して接続されており、洗濯機内の水が排水ホースから排水トラップを通じて排水管に排出されるようになっている。
【０００３】
上記排水トラップは、一端が上記排水ホースに接続された接続管の他端にトラップ本体が連結されるとともに、これら接続管及びトラップ本体が上記排水管の管端部に当該トラップ本体を内部に挿入配置した状態で固定配置され、トラップ本体は、流入出部が仕切り壁によって流入室と流出室とに左右に二分されるとともに、流入出部の上端には接続管を通じて導入される排水を流入室に導く導入部が設けられてなり、接続管に導入された排水を導入部を通じて流入室に流入させ、この流入室の下端から流出室に導いて上方にＵターンする形で流出室の上端に形成された排出口から排水管に排出すように構成している（例えば、特許文献１参照。）。
【特許文献１】特開平１１−２６９９５９号公報
【発明の開示】
【発明が解決しようとする課題】
【０００４】
しかしながら、上記従来の排水トラップのトラップ本体では、上記導入部の流出室側上方の部位は略水平な状態から湾曲されて仕切り壁に繋がっている。このため接続管を通じて導入部に流入する排水がこの略水平な部位に衝突して拡散される現象が生じ、これによって排水の円滑な流入が阻害されて排水効率を低下させるとともに、このような排水の流れの悪さがごみ詰まりの原因になるという問題があった。
【０００５】
本発明は、上記問題点に鑑みてなされたもので、その目的とするところは、トラップ本体の流入出部の流入室に通じる導入部の形状を工夫することで、排水の流れを円滑して排出効率の良い排水トラップを提供することにある。
【課題を解決するための手段】
【０００６】
上記の目的を達成するため、請求項１に係る発明の排水トラップは、トラップ本体が床面に臨んで配設された排水管の管端部に当該トラップ本体を内部に挿入配置した状態で固定配置され、トラップ本体は、流入出部が仕切り壁によって流入室と流出室とに左右に二分されるとともに、流入出部の上端には接続管を通じて導入される排水を流入室に導く導入部が設けられてなり、接続管に導入された排水が導入部を通じて流入室に流入し、この流入室の下端から流出室に導かれて上方にＵターンする形で流出室の上端に形成された排出口から排水管に排出されるように構成された排水トラップにおいて、前記流出室の上方となる前記導入部の部位が半円錐状に形成され、この半円錐状の部位の下端が前記仕切り壁に繋がっていることを特徴とする。
【０００７】
請求項２に係る発明の排水トラップは、前記流入出部は、前記流出室の排出口側が排水管の内壁との間隔が大きくなるように当該排水管に対して偏心した状態で配置されていることを特徴とする。
【発明の効果】
【０００８】
本発明によれば、接続管に導入された排水は、導入部の半円錐状の部位を伝って滑らかに流入室に導かれて流出室に流入されるため、排水トラップ内における排水の流れが円滑になり、排水効率を高めることができる。
【発明を実施するための最良の形態】
【０００９】
以下、本発明の実施の形態について図面を参照して説明する。
【００１０】
図１は、本発明の排水トラップの全体構成を示している。
【００１１】
この排水トラップ１は、上端が床面Ａに臨んで配設された排水管Ａ１の上端部に取付ける固定用筒体２と、この固定用筒体２内を挿通して排水管Ａ１内に配置されたトラップ本体３と、トラップ本体３と排水ホース（図示せず）とを連結するように略Ｌ状に湾曲されたエルボ４とを備えてなり、例えば洗濯機の排水ホースを排水管Ａ１に接続する際に使用される。
【００１２】
上記固定用筒体２は、排水管Ａ１の上端部（管端部）内に嵌合される円筒状の筒本体部２１と、筒本体部２１の上端全周に亘って外方に突設されたフランジ部２２と、筒本体部２１よりもやや径大でフランジ部２２から上方に突出された上環状部２３とで構成されている。
【００１３】
フランジ部２２は、その下面が排水管Ａ１の周囲の床面２１に突き合わされており、排水管Ａ１の上端周囲を覆っている。フランジ部２２には、周方向に等しい間隔を隔てて例えば３つの貫通孔が上下方向に貫通するように設けられており、各貫通孔にネジ２４を挿入して床面Ａにネジ込むことによってフランジ部２２を床面Ａに固設するようにしている。
【００１４】
また、上環状部２３の外周とフランジ部２２の上面とは、図１及び図２に示すようにこれらに上方から嵌め込まれた環状の化粧カバー２５によって被覆されている。
【００１５】
前記トラップ本体３は、図３乃至図５に示すように、トラップ部３１と、このトラップ部３１の下端に当該下端開口を覆うように取付けられたキャップ部３５とを備えている。
【００１６】
トラップ部３１は、上部が取付部３２に、途中部が導入部３３に、下部が流入出部３４になされている。
【００１７】
取付部３２は、導入部３３上端よりも外方に膨出した所定厚みを有する環状に形成されており、図１に示すように、この外周下端段部３２ａが前記筒本体部２１の内周面下端全周に亘って形成された環状係止片２６に上方から当接することによって筒本体部２１から下方に垂下した状態で当該筒本体部２１に保持されるように構成されている。
【００１８】
流入出部３４は、上記取付部３２よりもやや小径に形成された筒状体であって、上記取付部３２の軸芯に対して偏心させた状態で当該取付部３２に導入部３３を介して連結されている。従って、排水トラップ１を排水管Ａ１に取付けた際には、流入出部３４は当該排水管Ａ１に対しても偏心状態になっている。
【００１９】
この流入出部３４の内部は、仕切り壁３４ａによって流入室３４ｂと流出室３４ｃとに左右に二分されており、これら流入室３４ｂと流出室３４ｃの下端開口が前記キャップ部３５で覆われ、当該キャップ部３５を通じて連通されている。
【００２０】
そして、排水トラップ１を排水管Ａ１に取付けた際に、流入出部３４は、流入室３４ｂを形成する周面が排水管Ａ１の内周面に近接し、流出室３４ｃを形成する周面が排水管Ａ１の内周面から所定間隔（流入室３４ｂを形成する周面と排水管Ａ１の内周面との間の距離よりも大きい間隔）を隔てて配置されるように排水管Ａ１内に偏心状態で配置されるようになっている。
【００２１】
前記導入部３３は、エルボ４を通じて流入する排水を上記流入室３４ｂに導く部位であり、流入室３４ｂ側上方の部位３３ａが取付部３２と当該流入室３４ｂを形成する周面とに繋がる湾曲面に形成されるとともに、流出室３４ｃ側上方の部位３３ｂが半円錐状（すり鉢状）に形成されて下端が仕切り壁３４ａに繋がっている。そして、上記部位３３ｂと仕切り壁３４ａとの連通部分３３ｃ（図４参照）は滑らかな曲面を描いて連通されている。
【００２２】
このように上記部位３３ｂを半円錐状に形成して流入室３４ｂに連通することで、この下方の流出室３４ｃの上端は開口となり、この開口が排出口３４ｄになっている。
【００２３】
前記エルボ４は、垂直部４１と水平部４５とで前述したようにＬ字状に形成されている。垂直部４１は、その途中部４２が前記筒本体部２１内に嵌入するように形成され、途中部４２よりも薄肉に形成された下端部４３がトラップ部３１の取付部３２内に嵌入するように形成されている。
【００２４】
また、垂直部４１の上部にはロックナット４４が遊嵌されており、当該ロックナット４４が前記筒本体部２１の上環状部２３内周に形成された雌ねじ部２３ａに螺入可能に構成されている。
【００２５】
上記水平部４５は、その開口端部４６に前記排水ホースの先端が差込まれ、この状態で外周をクリップ４７で締めつけることによって両者を連結状態で保持するようにしている。
【００２６】
このように構成されたエルボ４はその材質がゴム製であって、後述する突起も含めて一体成型されている。そして、上記途中部４２の外周面には、図示しないひだ状の突起が上下に所定間隔隔てて適数本が環状に突設されており、この突起が材質の持つ弾性作用によって途中部４２と筒本体部２２との間でシール機能を発揮している。
【００２７】
このように構成された排水トラップ１は、次のように組み立てられる。
【００２８】
まず、床面Ａに設けられた排水管Ａ１内に、固定用筒体２の筒本体部２１を挿入し、この筒本体部２１の外周面と排水管Ａ１とを接着剤で固着するとともに、フランジ部２２を排水管Ａ１の周囲の床面Ａ上面にネジ２４によってネジ締め固定する。これによりフランジ部２２が排水管Ａ１の上端外周縁部を全周にわたって覆った状態で固定用筒体２が排水管Ａ１に取付けられる。。
【００２９】
次に、トラップ部３１の取付部３２内にエルボ４の下端部４３を嵌入してエルボ４とトラップ本体３とを連結した状態で、これを筒本体部２１内に上方から挿入してエルボ４の途中部４２を筒本体部２１内に嵌入する。これによりエルボ４の途中部４２は、その周面に形成されたひだ状の突起によって筒本体部２１との間を水密シールした状態で配置される。また、トラップ本体３は、トラップ部３１の取付部３２下端が環状係止片２６に当接して係止されることで下方への抜け落ちを阻止された状態で筒本体部２１から排出管Ａ１内に垂下される。
【００３０】
この後、ロックナット４４を上環状部２３の雌ねじ部２３ａに螺入してネジ止めすることで、トラップ本体３及びエルボ４を固定用筒体２に一体的に組み付けることができる。この場合、固定用筒体２のフランジ部２２の上面は化粧カバー２５によって被覆されている。
【００３１】
そして、このようにして組み付けた排水トラップ１では、エルボ４の開口端部４６に例えば洗濯機の排水ホース先端を差し込んで連通状態で保持することで、洗濯機からの排水が排水ホースを通じて排水トラップ１に流入してこの排水トラップ１から排水管Ａ１内に排出される
具体的には、洗濯機からの排水は、排水ホースを通じてエルボ４に導入され、このエルボ４からトラップ本体３の導入部３３を通じて流入室３４ｂ内に流入した後、この流入室３４ｂの下端から流出室３４ｃ内に流入してＵターンする形で上方の排出口３４ｄを越流して排水管Ａ１内に排出される。
【００３２】
このような経路で排水が排出されることから、トラップ部３１の流入出部３４には排水が常に溜まった状態になってトラップ機能を発揮しており、これにより排水管Ａ１側の臭気がエルボ４側へ逆流するのを防止している。
【００３３】
しかも、エルボ４に導入された排水は、導入部３３の半円錐状の部位３３ｂを伝って滑らかに流入室３４ｂに導かれて流出室３４ｃに流入されるため、排水トラップ１内における排水の流れが円滑になり、排水効率を高めることができる。
【００３４】
さらに、トラップ部３１の流入出部３４を、その排出口３４ｄ側が排水管Ａ１との間隔が大きくなるように排水管Ａ１に対して偏心した状態で配置しているため、排水を排出口３４ｄから排水管Ａ１内へ円滑に排出することができ、これにより上述した半円錐状の部位３３ｂによる作用と相まってさらに排水効率を高めることができるとともに、排水の流れが円滑であるためごみ詰まりの発生も極力防ぐことができる。
【００３５】
また、ロックナット４４を緩めてエルボ４を上方に引き抜くことで、固定用筒体２だけを残してエルボ４とともにトラップ本体３も容易に取り外すことができるため、もしもトラップ本体３がごみで詰まった場合でもごみを簡単に除去できるとともに、トラップ本体３や排水管Ａ１内の清掃等のメンテナンスも容易に行うことができる。
【００３６】
なお、上述した実施形態は、あくまでも本発明の好適な実施態様を示すものであって、本発明はこれに限定されることなく、その範囲内において種々設計変更可能である。
【００３７】
例えば、本実施の形態では、排水トラップ１として排水ホースを通じてエルボ４を介してトラップ本体２に導入するものについて述べたが、排水ホースによらず排水管Ａ１を配置した床面から排水をトラップ本体２に導入するいわゆる目皿タイプの排水トラップにも適用することができる。
【図面の簡単な説明】
【００３８】
【図１】本発明の排水トラップの全体構成を示す一部断面の側面図である。
【図２】同じく排水トラップの全体構成を示す正面図である。
【図３】排水トラップのトラップ本体を示す斜視図である。
【図４】同じくトラップ本体を示す側面から見た断面図である。
【図５】同じくトラップ本体を示す正面図である。
【符号の説明】
【００３９】
１  排水トラップ
３  トラップ本体
３１  トラップ部
３３  導入部
３３ｂ  部位
３４  流入出部
３４ａ  仕切り壁
３４ｂ  流入室
３４ｃ  流出室
３４ｄ  排出口
４  エルボ（接続管）
Ａ１  排水管
【図１】
2007023688.tif 000003
【図２】
2007023688.tif 000004
【図３】
2007023688.tif 000005
【図４】
2007023688.tif 000006
【図５】
2007023688.tif 000007